(57)【要約】【課題】識別情報を付けるスペースのない多連容器に対しても検体関連性を維持できる検体検査キットを提供する。【解決手段】検体検査キット２００Ａは多連容器１０Ａとラック１００Ａとを含む。ラック１００Ａは、多連容器１０Ａを設置できる開口部１０２と、検体容器２０を設置できる開口部１０４と、分析用試料容器３０を設置できる開口部１０６とを有している。ラック１００Ａにはラック自体の識別情報１１２が付与されている。検体容器２０には識別情報２２を付与可能であり、ラック１００Ａは検体容器２０の識別情報２２を読み取るための開口部１１４を有している。分析用試料容器３０にも識別情報を付与可能であり、ラック１００Ａは分析用試料容器３０の識別情報を読み取るための開口部を有している。多連容器１０Ａとラック１００Ａは同系の色に着色されている。【選択図】      図１
2008122205.tif 000002
【特許請求の範囲】
【請求項１】
複数の容器が連なった多連容器と、
多連容器と識別情報を付与可能な検体容器と識別情報を付与可能な分析用試料容器とを設置できるラックとを含み、
多連容器とラックとが関連付けて着色されていることを特徴とする検体検査キット。
【請求項２】
着色の色または／および着色パターンが異なる請求項１に記載の検体検査キットを複数含むことを特徴とする検体検査キット群。
【請求項３】
複数の容器が連なった多連容器と、
多連容器と識別情報を付与可能な検体容器と識別情報を付与可能な分析用試料容器とを設置できるラックとを含み、
多連容器は少なくとも一つの凸部を有し、ラックは多連容器が設置されたときに多連容器の凸部を収容する開口部を有していることを特徴とする検体検査キット。
【請求項４】
多連容器の凸部のパターンが異なる請求項３に記載の検体検査キットを複数含むことを特徴とする検体検査キット群。
【請求項５】
複数の容器が連なった多連容器から容器カセットに収納された分析用試料容器に試料を移し替えるための移し替え支援ラックであって、多連容器を設置でき、容器カセットを設置できるとともに設置した容器カセットを移動できることを特徴とする移し替え支援ラック。
【請求項６】
複数の容器が連なった多連容器から容器カセットに収納された分析用試料容器に試料を移し替えるための移し替え支援ラックであって、多連容器を設置できる多連容器設置部と、多連容器設置部を移動できる多連容器移動手段と、容器カセットを設置できるとともに設置した容器カセットを移動できる容器カセット移動手段とを有し、多連容器移動手段と容器カセット移動手段とが連動して動くことを特徴とする移し替え支援ラック。
【請求項７】
複数の容器が連なった多連容器と、
多連容器と識別情報を付与可能な検体容器とを設置できるラックとを含み、
多連容器とラックとが関連付けて着色されていることを特徴とする検体検査キットであり、
多連容器から容器カセットに収納された分析用試料容器に試料を移し替えるための移し替え支援ラックであって、ラックを設置できるとともに設置したラックを移動できるラック移動手段と、容器カセットを設置できるとともに設置した容器カセットを移動できる容器カセット移動手段とを有し、ラック移動手段と容器カセット移動手段とが連動して動く移し替え支援ラックに設置可能であることを特徴とする検体検査キット。
【請求項８】
着色の色または／および着色パターンが異なる請求項７に記載の検体検査キットを複数含むことを特徴とする検体検査キット群。
【請求項９】
複数の容器が連なった多連容器と、
多連容器と識別情報を付与可能な検体容器とを設置できるラックとを含み、
多連容器は少なくとも一つの凸部を有し、ラックは多連容器が設置されたときに多連容器の凸部を収容する開口を有することを特徴とする検体検査キットであり、
多連容器から容器カセットに収納された分析用試料容器に試料を移し替えるための移し替え支援ラックであって、ラックを設置できるとともに設置したラックを移動できるラック移動手段と、容器カセットを設置できるとともに設置した容器カセットを移動できる容器カセット移動手段とを有し、ラック移動手段と容器カセット移動手段とが連動して動く移し替え支援ラックに設置可能であることを特徴とする検体検査キット。
【請求項１０】
凸部のパターンが異なる請求項９に記載の検体検査キットを複数含むことを特徴とする検体検査キット群。
【請求項１１】
複数の容器が連なった多連容器と、
多連容器を設置できる多連容器設置部と識別情報を付与可能な検体容器を設置できる検体容器設置部とで構成されるラックとを含み、
多連容器設置部と検体容器設置部とが分離可能であり、多連容器設置部にラックの識別情報が付与されていることを特徴とする検体検査キットであり、
多連容器から容器カセットに収納された分析用試料容器に試料を移し替えるための移し替え支援ラックであって、多連容器設置部を設置できるとともに設置した多連容器設置部を移動できる多連容器移動手段と、容器カセットを設置できるとともに設置した容器カセットを移動できる容器カセット移動手段とを有し、多連容器移動手段と容器カセット移動手段とが連動して動く移し替え支援ラックに設置可能であることを特徴とする検体検査キット。
【発明の詳細な説明】
【技術分野】
【０００１】
検体検査を手作業で行うための検体検査キットと検体検査キット群および試料の移し替えを支援するための移し替え支援ラックに関する。
【背景技術】
【０００２】
生物、医学、医療などの研究、分析のため、検体、反応、測定用の容器が使用されている。その容器を使用する測定対象は、血液や細胞だけでなく、遺伝子にまでも広がってきている。このように様々な測定を行うときに、検体、結果などの取り違いは、当然あってはならない。そのため、分析、検査を大量に行う場合には、バーコード、ＩＣタグを備えた容器が用いられるとともに、読み取り器や読み書き可能な機能を積載した分析装置が用いられている。
【０００３】
特開２００４−３４０６５１号公報に開示されている分析装置は、検体を分注する先の検体格納容器または容器保持槽に読み書き可能なＩＤキャリアを備え、検体を分注、検体格納容器を移動する際に、分注先または移動先に備えられた読み書き可能なＩＤキャリアに検体ＩＤやその他の情報を移し替えてやることにより、検体の識別性を向上し、且つ予測制御などの複雑なソフト処理を不要としている。
【０００４】
このように、検体を分注すると共に、識別情報を移し替えた容器にも付与し、さらに次の容器へと検体ならびに識別情報を移すためには専用の容器と読み書き可能な機能、分注機能を備えた自動化装置が必要である。このような自動化装置は導入や維持にコストがかかり、多量の検体（１日に数百から数千検体）を処理する場合には適しているが、遺伝子検査のような特殊な検査で、１日あたりの検体数が少ない場合には適していない。
【０００５】
これに対して、分注機能を備えた分析装置がなく、１日あたりの検体数が少ない場合でも、検体の情報を分注した容器へと移すことができる分注支援ラックがある。
【０００６】
例えば特開２００５−１７１７７号公報は、次のような分注支援ラックを開示している。親検体識別番号を有する親検体用検体容器及び子検体識別番号を有する子検体用検体容器を収容する分注支援ラックは、親検体用検体容器の親検体識別番号を取得し、取得した親検体識別番号を表示部に表示する。また、取得した親検体識別番号を子検体用検体容器に備えられているＩＣタグに書き込む。また、子検体用検体容器の子検体識別番号を取得し、取得した子検体識別番号を親検体用検体容器に備えられているＩＣタグに書き込む。
【０００７】
この分注支援ラックを使うことにより、１日あたりの検体数が少ない場合でも、検体の情報を分注した容器へと移すことができるようになる。ただし、バーコードのついた最小容量の容器は、その容量が０．６５ｍｌのものである（例えば２Ｄサイファー０．６５ｍｌクラスターチューブ 日本ジェネティクス社）。
【特許文献１】特開２００４−３４０６５１号公報
【特許文献２】特開２００５−１７１７７号公報
【発明の開示】
【発明が解決しようとする課題】
【０００８】
検体を反応させる容器には０．５ｍｌ以下のものを使うこともある。そのような少量の容器には、バーコードやＩＣタグをつけるスペースがなくなるため、これらを設けることはできない。このため、例えば遺伝子を増幅する反応であるＰＣＲでは０．２ｍｌの多連容器が広く使用されている。この多連容器は、識別情報が付加されてない上に、多連容器であるため分注支援ラックを用いることはできない。
【０００９】
本発明は、この様な実状を考慮して成されたものであり、その目的は、識別情報を付けるスペースのない多連容器に対しても検体関連性を維持できる検体検査キットおよび検体検査キット群を提供することである。
【００１０】
本発明の別の目的は、多連容器から容器カセットに収納された複数の分析用試料容器への試料の移し間違いが起きにくい移し替え支援ラックを提供することである。
【課題を解決するための手段】
【００１１】
本発明の検体検査キットは、複数の容器が連なった多連容器と、多連容器と識別情報を付与可能な検体容器と識別情報を付与可能な分析用試料容器とを設置できるラックとを含み、多連容器とラックとが関連付けて着色されている。本発明の検体検査キット群は、この検体検査キットを複数含み、着色の色または／および着色パターンが異なる検体検査キットを複数含む。
【００１２】
本発明の別の検体検査キットは、複数の容器が連なった多連容器と、多連容器と識別情報を付与可能な検体容器と識別情報を付与可能な分析用試料容器とを設置できるラックとを含み、多連容器は少なくとも一つの凸部を有し、ラックは多連容器が設置されたときに多連容器の凸部を収容する開口部を有している。本発明の別の検体検査キット群は、この検体検査キットを複数含み、多連容器の凸部のパターンが異なる検体検査キットを複数含む。
【００１３】
本発明の移し替え支援ラックは、多連容器を設置でき、容器カセットを設置できるとともに設置した容器カセットを移動できる。
【００１４】
本発明の別の移し替え支援ラックは、多連容器を設置できる多連容器設置部と、多連容器設置部を移動できる多連容器移動手段と、容器カセットを設置できるとともに設置した容器カセットを移動できる容器カセット移動手段とを有し、多連容器移動手段と容器カセット移動手段とが連動して動く。
【００１５】
本発明のまた別の検体検査キットは、複数の容器が連なった多連容器と、多連容器と識別情報を付与可能な検体容器とを設置できるラックとを含み、多連容器と関連付けて着色されている。この検体検査キットは、多連容器から容器カセットに収納された分析用試料容器に試料を移し替えるための移し替え支援ラックであって、ラックを設置できるとともに設置したラックを移動できるラック移動手段と、容器カセットを設置できるとともに設置した容器カセットを移動できる容器カセット移動手段とを有し、ラック移動手段と容器カセット移動手段とが連動して動く移し替え支援ラックに設置可能である。本発明のまた別の検体検査キット群は、この検体検査キットを複数含み、着色の色または／および着色パターンが異なる検体検査キットを複数含む。
【００１６】
本発明のまたさらに別の検体検査キットは、複数の容器が連なった多連容器と、多連容器と識別情報を付与可能な検体容器とを設置できるラックとを含み、多連容器は少なくとも一つの凸部を有し、ラックは多連容器が設置されたときに多連容器の凸部を収容する開口を有する。この検体検査キットは、多連容器から容器カセットに収納された分析用試料容器に試料を移し替えるための移し替え支援ラックであって、ラックを設置できるとともに設置したラックを移動できるラック移動手段と、容器カセットを設置できるとともに設置した容器カセットを移動できる容器カセット移動手段とを有し、ラック移動手段と容器カセット移動手段とが連動して動く移し替え支援ラックに設置可能である。本発明のまたさらに別の検体検査キット群は、この検体検査キットを複数含み、多連容器の凸部のパターンが異なる検体検査キットを複数含む。
【００１７】
本発明の別の検体検査キットは、複数の容器が連なった多連容器と、多連容器を設置できる多連容器設置部と識別情報を付与可能な検体容器を設置できる検体容器設置部とで構成されるラックとを含み、多連容器設置部と検体容器設置部とが分離可能であり、多連容器設置部にラックの識別情報が付与されている。この検体検査キットは、多連容器から容器カセットに収納された分析用試料容器に試料を移し替えるための移し替え支援ラックであって、多連容器設置部を設置できるとともに設置した多連容器設置部を移動できる多連容器移動手段と、容器カセットを設置できるとともに設置した容器カセットを移動できる容器カセット移動手段とを有し、多連容器移動手段と容器カセット移動手段とが連動して動く移し替え支援ラックに設置可能である。
【発明の効果】
【００１８】
本発明によれば、識別情報を付けるスペースのない多連容器に対しても検体関連性を維持できる検体検査キットおよび検体検査キット群が提供される。また、多連容器から容器カセットに収納された複数の分析用試料容器への試料の移し間違いが起きにくい移し替え支援ラックが提供される。
【発明を実施するための最良の形態】
【００１９】
以下、図面を参照しながら本発明の実施形態について説明する。
【００２０】
＜第一実施形態＞
本発明の第一実施形態は検体検査キットに向けられている。本実施形態の検体検査キットを図１に示す。
【００２１】
図１に示すように、本実施形態の検体検査キット２００Ａは多連容器１０Ａとラック１００Ａとを含む。多連容器１０Ａは、直線的に連なった複数の容器を有している。ラック１００Ａは、多連容器１０Ａを設置できる開口部１０２と、複数の検体容器２０を設置できる開口部１０４と、複数の分析用試料容器３０を設置できる開口部１０６とを有している。開口部１０２と開口部１０４の個数はともに多連容器１０Ａの容器の個数と同じである。検体容器２０と分析用試料容器３０は、多連容器１０Ａの長手方向に対して平行に直線的に並べて設置される。ラック１００Ａにはラック自体の識別情報１１２が付与されている。識別情報１１２は例えばバーコードまたはＩＤタグである。検体容器２０には識別情報２２を付与可能であり、ラック１００Ａは検体容器２０の識別情報２２を読み取るための開口部１１４を有している。図には見えないが、分析用試料容器３０にも識別情報を付与可能であり、ラック１００Ａは分析用試料容器３０の識別情報を読み取るための開口部を有している。互いに組み合わされる多連容器１０Ａとラック１００Ａとが関連付けて着色されている。具体的には、多連容器１０Ａは色１２に着色されており、ラック１００Ａは色１２２に着色されており、色１２と色１２２は同系の色である。
【００２２】
検体検査キット２００Ａは次のように使用する。まず、検体容器２０からラック１００Ａと共に提供される多連容器１０Ａに検体を移す。試薬は、別途検査者によって用意される試薬を入れてもよいし、多連容器１０Ａに試薬を入れた状態で検査キットとして提供してもよい。遺伝子を調べる場合には分析する前にＰＣＲ反応を行う。この反応は、一般的なＰＣＲ装置（例えばサーマルサイクラＰＴＣ−２００ ＭＪ Ｒｅｓｅａｒｃｈ社製）に多連容器１０Ａを移して行う。反応が終わった後、多連容器１０Ａをラック１００Ａに戻す。複数の検体検査キット２００Ａを同時に使用する場合、すべての検体検査キット２００Ａを互いに異なる色のものでそろえる。これにより互いに関連性のある多連容器１０Ａとラック１００Ａを容易に識別できる。このため、複数のラック１００Ａがあったとしても、多連容器１０Ａを同系の色に着色されたラック１００Ａに戻すことにより、多連容器１０Ａが正しく元のラック１００Ａに戻される。多連容器１０Ａが元のラック１００Ａに戻れば、検体容器２０から分析用試料容器３０への関連性が失われない。従来、このような識別情報を付けられない多連容器１０Ａを使う場合には印を手書きしていたが、この検体検査キット２００Ａを使うことにより、その必要がなくなる。
【００２３】
ここで、同系の色とは、他の色と見分けがつく色であればどのような色でもよく、好ましくは色の三原色とそれを２色ずつ混色した３色、ならびに白、黒、また、透明でもよい。そして、同系の色であれば素材そのままの色でもよい。
【００２４】
また、着色は多連容器１０Ａ、ラック１００Ａともにその全体になされていなくても、互いに関連性のある多連容器１０Ａとラック１００Ａが容易に識別できれば、同様の効果を得ることができる。例えば多連容器１０Ａであれば、そのふたの部分だけ着色されていてもよい。また、ラック１００Ａであれば、多連容器１０Ａを設置できる開口部１０２の近くが着色されていればよい。着色も、多連容器１０Ａ、ラック１００Ａ自体が着色されていなくても、塗装や印刷、シーによる着色でも同様の効果が得られる。
【００２５】
本実施形態では、多連容器１０Ａとラック１００Ａが同系の色に着色されているため、多連容器１０Ａをラック１００Ａに戻すときに、戻すラック１００Ａを間違えにくい。
【００２６】
さらに、ラック１００Ａに識別情報１１２が付与されていることにより、その識別情報１１２を介して検体容器２０の識別情報２２と分析用試料容器３０の識別情報へと関連付けていくことができる。これについては後述する。
【００２７】
なお、ラック１００Ａの材質については特に指定は無いが、熱伝導性材料で形成してもよい。ＰＣＲ反応を行う試薬の調整は、通常、氷上で容器、試薬を冷却しながら行う。これは、冷却しながら調整した方が試薬の反応が起こりにくく、不要物の生成をより抑えることができるためである。したがって、ラック１００Ａを熱伝導性材料で形成することにより、ラック１００Ａを氷上に置いて多連容器１０Ａを冷却しながら検体の移動、試薬の分注などが行え、より好ましいＰＣＲ反応の結果を得ることができる。熱伝導性材料としてはアルミ合金や高熱伝導性樹脂（例えばスミコンＦＭ  住友ベークライト社）などがあげられる。または、ラック１００Ａ内に保冷剤が内包されており使用前に冷却すれば、検体の移動、試薬の分注の間、多連容器１０Ａを冷却することができる。
【００２８】
＜第二実施形態＞
本発明の第二実施形態は別の検体検査キットに向けられている。本実施形態の検体検査キットを図２に示す。図中、既出の図と同一の参照符号を付した部材は同様の部材であり、その詳しい説明は省略する。
【００２９】
図２に示すように、本実施形態の検体検査キット２００Ｂにおいても、互いに組み合わされる多連容器１０Ｂとラック１００Ｂとが関連付けて着色されている。具体的には、多連容器１０Ｂとラック１００Ｂはともに同系の色に部分的に着色されている。しかも、多連容器１０Ｂの着色パターン１４とラック１００Ｂの着色パターン１２４とが同じである。多連容器１０Ｂの着色パターンは長手方向中央に対して回転非対称である。
【００３０】
この検体検査キット２００Ｂでは、多連容器１０Ｂとラック１００Ｂの関連性が一致するとき、すなわち多連容器１０Ｂとラック１００Ｂとが正しく互いに組み合わされたとき、多連容器１０Ｂの色１２と着色パターン１４と、ラック１００Ｂの色１２２と着色パターン１２４とが一致する。
【００３１】
本実施形態では、多連容器１０Ｂとラック１００Ｂが部分的に同系の色に着色されているため、多連容器１０Ｂをラック１００Ｂに戻すときに、戻すラック１００Ｂを間違えにくい。また、着色パターンにより多連容器１０Ｂとラック１００Ｂの組み合わせの数を増やせる。さらに、多連容器１０Ｂの着色パターンが回転非対称であるため、多連容器１０Ｂの向きを間違えて戻すことが防止され、関連性をさらに確実に保てる。
【００３２】
＜第三実施形態＞
本発明の第三実施形態はまた別の検体検査キットに向けられている。本実施形態の検体検査キットを図３に示す。図中、既出の図と同一の参照符号を付した部材は同様の部材であり、その詳しい説明は省略する。
【００３３】
図３に示すように、本実施形態の検体検査キット２００Ｃにおいても、互いに組み合わされる多連容器１０Ｃとラック１００Ｃとが関連付けて着色されている。具体的には、多連容器１０Ｃとラック１００Ｃはともに同じ複数の色に着色されている。しかも、多連容器１０Ｃの着色パターン１６とラック１００Ｃの着色パターン１２６とが同じである。多連容器１０Ｃの着色パターンは多連容器１０Ｃの長手方向中央に対して回転非対称である。
【００３４】
本実施形態では、多連容器１０Ｃとラック１００Ｃが同じ複数の色に着色されているため、多連容器１０Ｃをラック１００Ｃに戻すときに、戻すラック１００Ｃを間違えにくい。また、多連容器１０Ｃとラック１００Ｃを複数の色に着色することにより、多連容器１０Ｃとラック１００Ｃの組み合わせの数をさらに増やせる。さらに、多連容器１０Ｃの着色パターンが回転非対称であるため、多連容器１０Ｃの向きを間違えて戻すことが防止され、関連性をさらに確実に保てる。
【００３５】
＜第四実施形態＞
本発明の第四実施形態は検体検査キット群に向けられている。本実施形態の検体検査キット群を図４に示す。図中、既出の図と同一の参照符号を付した部材は同様の部材であり、その詳しい説明は省略する。
【００３６】
図４に示すように、本実施形態の検体検査キット群は、着色の色または／および着色パターンが異なる検体検査キット２００を複数含む。ここで検体検査キット２００は、前述の検体検査キット２００Ａ，２００Ｂ，２００Ｃを代表的に示している。例えば、検体検査キット群は複数の検体検査キットＡと複数の検体検査キットＢと複数の検体検査キットＣとを含み、第一実施形態に準じて、検体検査キットＡは青、検体検査キットＢは赤、検体検査キットＣは黄に着色されている。検体検査キット２００を収納した外装箱には、その中の検体検査キットの着色が分かるように印が付けてある。これにより、検査者が同じキットを選ぶことを避けて、必要な数の検体検査キットを容易に取り出せる。
【００３７】
＜第五実施形態＞
本発明の第五実施形態はさらに別の検体検査キットに向けられている。本実施形態の検体検査キットを図５に示す。図中、既出の図と同一の参照符号を付した部材は同様の部材であり、その詳しい説明は省略する。
【００３８】
図５に示すように、本実施形態の検体検査キット２００Ｄでは、多連容器１０Ｄは少なくとも一つの凸部１８を有している。ラック１００Ｄはこれと組み合わされる多連容器１０Ｄが開口部１０２に設置されたときにその凸部１８を収容する開口部１２８を有している。多連容器１０Ｄの凸部は、その形成パターンによりラック１００Ｄとの関連性を識別可能にする。ラック１００Ｄの開口部１２８はこれと組み合わされる多連容器１０Ｄの凸部１８の形成パターンに対応した形状に形成されている。図５に示した多連容器１０Ｄはただ１つの凸部１８を有しているが、複数の凸部１８を有していてもよい。凸部１８は、例えば、多連容器１０Ｄの長手方向中央に対して回転非対称に配置されている。あるいは、凸部１８は回転対称に配置されているが、回転対称に位置する凸部１８が互いに異なる形状を有している。
【００３９】
複数の検体検査キット２００Ｄを同時に使用する場合、すべての検体検査キット２００Ｄを多連容器１０Ｄの凸部１８の形成パターンが互いに異なるものでそろえる。これにより、多連容器１０Ｄの凸部１８の形成パターンとラック１００Ｄの開口部１２８の形成パターンとに基づいて、互いに関連性のある多連容器１０Ｄとラック１００Ｄを容易に識別できる。さらに、多連容器１０Ｄは、正しい組み合わせ対象のラック１００Ｄには設置できるが、間違った組み合わせ対象のラック１００Ｄには設置できない。
【００４０】
本実施形態では、多連容器１０Ｄの凸部１８とラック１００Ｄの開口部１２８とが互いに対応した形成パターンを有するため、多連容器１０Ｄをラック１００Ｄに戻すときに、戻すラック１００Ｄを間違えることが防止される。また、多連容器１０Ｄとラック１００Ｄの組み合わせは、凸部１８と開口部１２８の形成パターンを変えることにより容易に増やせる。さらに、凸部１８の形成パターンが回転非対称であるため、または回転対称に位置する凸部１８は互いに異なる形状を有するため、多連容器１０Ｄの向きを間違えて戻すことが防止され、関連性をさらに確実に保てる。
【００４１】
多連容器１０Ｄの凸部１８は、一連の検査を行っているときの検体検査キット２００Ｄ間で、凸部１８の形成パターンを異ならせておくことにより、多連容器１０Ｄとラック１００Ｄの関連性を保てる。凸部１８は、装置へ設置する際の単なる位置決めや、設置されているかの検知に用いることもできる。
【００４２】
＜第六実施形態＞
本発明の第六実施形態は検体検査キットに向けられている。本実施形態の検体検査キット群を図６に示す。図中、既出の図と同一の参照符号を付した部材は同様の部材であり、その詳しい説明は省略する。
【００４３】
図６に示すように、本実施形態の検体検査キット群は、多連容器１０Ｄの凸部１８のパターンが異なる検体検査キット２００Ｄを複数含む。ここで検体検査キット２００は、前述の検体検査キット２００Ｄを示している。例えば、検体検査キット群は複数の検体検査キットａと複数の検体検査キットｂと複数の検体検査キットｃとを含み、検体検査キットａと検体検査キットｂと検体検査キットｃとでは、多連容器１０Ｄの凸部１８とラック１００Ｄの開口部１２８の形成パターンが互いに異なっている。検体検査キット２００Ｄを収納した外装箱には、その中の検体検査キットの凸部１８と開口部１２８の形成パターンの相違が分かるように印が付けてある。これにより、検査者が同じキットを選ぶことを避けて、必要な数の検体検査キットを容易に取り出せる。
【００４４】
＜第七実施形態＞
本発明の第七実施形態は、上述した検体検査キットの識別情報管理システムに向けられている。本実施形態の識別情報管理システムを図７と図８に示す。図中、既出の図と同一の参照符号を付した部材は同様の部材であり、その詳しい説明は省略する。
【００４５】
識別情報管理システムには、図８に示すような一般的な構成のものを用いることができる。識別情報管理システムは、識別情報を読み取るリーダー５２と、識別情報を保管する記憶部５６と、リーダー５２と記憶部５６を制御する制御部５４とを有している。制御部５４は、必要に応じて、分析装置５８へデータを送るようになっている。
【００４６】
ラック１００に識別情報がない場合は、検体容器２０、分析用試料容器３０をラック１００に設置することで関連付けられおり、検体識別情報から、直接、分析用試料容器識別情報へと関連付けられ、それらの識別情報が分析装置５８へと送られる。
【００４７】
ラック１００に識別情報１１２が付与されている場合は、識別情報１１２の関連付けは、図８の識別情報管理システムと前述の検体検査キットを用いて、図７に示すように行われる。まず、検体容器２０の識別情報２２を指定された順番でリーダー５２を使って読み取る。次にラック１００の識別情報１１２をリーダー５２で読み取る。そして、分析用試料容器３０の識別情報も指定された順番で読み取る。読み取り順の指定は、ラック１００に示されていることが望ましい。例えば、順番を矢印や数字をラック１００に設けて指定する。
【００４８】
検体容器２０の識別情報２２は、ラック１００の識別情報１１２と関連付けられて一旦記憶部５６に保管される。その際、多連容器１０の容器順と検体容器２０の識別情報２２が、ラック識別情報として保管される。分析用試料容器３０の識別情報を読み取ると、ラック識別情報を用いて検体容器２０の識別情報２２と分析用試料容器３０の識別情報が一括して関連付けられる。そして、それらの識別情報は分析装置５８へと送られる。ラック１００に識別情報１１２が付与されていることにより、反応についての履歴を残すことができる。
【００４９】
＜第八実施形態＞
本発明の第八実施形態は別の識別情報管理システムに向けられている。本実施形態の識別情報管理システムを図９に示す。図中、既出の図と同一の参照符号を付した部材は同様の部材であり、その詳しい説明は省略する。
【００５０】
分析用試料容器３０は多連容器１０とラック１００と共に検体検査キットとして提供されてもよい。分析用試料容器３０をラック１００と一緒に提供すると、分析用試料容器３０の識別情報を予め決めることができ、分析用試料容器３０に識別情報を付与しておくことができる。
【００５１】
検体検査キットで提供する分析用試料容器３０はラック１００に設置されており、分析用試料容器３０には、ラック１００内の並びに対応する識別情報が設けられている。このとき、先に検体容器２０の識別情報２２を読み込む。その検体数が分かるので、使われる分析用試料容器３０の数も決まる。そして、その数だけ分析用試料容器３０の識別情報が付与される。例えば、分析用試料容器３０の識別情報としては、図９に示すように、ラック１００の識別情報１１２の枝番が使える。つまり、ラック１００の識別情報１１２から検体数に応じて分析用試料容器３０の識別情報を一括して付与することができる。
【００５２】
＜第九実施形態＞
本発明の第九実施形態は検体検査キットに向けられている。本実施形態の検体検査キットを図１０に示す。図中、既出の図と同一の参照符号を付した部材は同様の部材であり、その詳しい説明は省略する。
【００５３】
図１０に示すように、本実施形態の検体検査キット２００Ｅでは、分析用試料容器３０の識別情報１３２がラック１００Ｅに付与されている。識別情報１３２は、それぞれ、分析用試料容器３０の設置位置に対応して付与されている。具体的には、識別情報１３２は、それぞれ、ラック１００Ｅの上面で開口部１０６の近くに位置する個所に配置されている。識別情報１３２は例えばバーコードまたはＩＤタグである。
【００５４】
分析用試料容器３０の識別情報１３２がラック１００Ｅの上面にも存在するため、ラック自体の識別情報１１２をリーダーで読んだ後、同じリーダーを使用して、分析用試料容器３０の識別情報１３２を読むことができる。分析用試料容器３０の識別情報を読む際に、分析用試料容器３０をラック１００Ｅから取り出す必要がない。これにより、検査者の手間を省くことができる。
【００５５】
＜第十実施形態＞
本発明の第十実施形態は検体検査キットに向けられている。本実施形態の検体検査キットを図１１に示す。図中、既出の図と同一の参照符号を付した部材は同様の部材であり、その詳しい説明は省略する。
【００５６】
図１１に示すように、本実施形態の検体検査キット２００Ｆでは、ラック１００Ｆに、検体容器２０と多連容器１０Ａの容器との間の対応を示すガイドライン１４２と、多連容器１０Ａの容器と分析用試料容器３０との間の対応を示すガイドライン１４４とが設けられている。
【００５７】
検体容器２０は多連容器１０Ａの容器と大きさが異なるため、検体容器２０のピッチと多連容器１０Ａの容器のピッチとが相違する。同様に、分析用試料容器３０も多連容器１０Ａの容器と大きさが異なるため、分析用試料容器３０のピッチと多連容器１０Ａの容器のピッチとが相違する。このようなレイアウトは、検体や試料を移す際に、移す先の容器の間違いを引き起こす要因となる。
【００５８】
本実施形態では、ガイドライン１４２に沿って検体を移すことにより、検体が、移す元の検体容器２０から移す先の多連容器１０Ａの容器に正しく移される。また、ガイドライン１４４に沿って試料を移すことにより、試料が、移す元の多連容器１０Ａの容器から移す先の分析用試料容器３０に正しく移される。このため、検体や試料の移し間違いが防止される。
【００５９】
ガイドライン１４２と１４４は、それぞれ、検体と試料を移す経路を示しさえすればよいので、例えば、盛り上がりや窪み、板状の区切り、経路に沿った開口などに変更されてもよい。
【００６０】
＜第十一実施形態＞
本発明の第十一実施形態は検体検査キットに向けられている。本実施形態の検体検査キットを図１２に示す。図中、既出の図と同一の参照符号を付した部材は同様の部材であり、その詳しい説明は省略する。
【００６１】
分析装置で測定を行う場合、複数の分析用試料容器３０を収納できる容器カセットに分析用試料容器３０を設置し、分析用試料容器３０を設置した容器カセットをそのまま分析装置へセットすることがある。
【００６２】
図１２に示すように、本実施形態の検体検査キット２００Ｇでは、ラック１００Ｇが、複数の分析用試料容器３０を収納できる容器カセット４０を設置できる開口部１５２を有している。図示していないが、容器カセット４０には識別情報が付与されている。ラック１００Ｇは、容器カセット４０の識別情報を読み取るための開口部１５４を有している。容器カセット４０の収納数すなわち容器カセット４０が分析用試料容器３０を収納できる個数が、多連容器１０Ａの多連数すなわち容器の個数と同じである。
【００６３】
この検体検査キット２００Ｇでは、試料の移し替え後、複数の分析用試料容器３０を収納した容器カセット４０をラック１００Ｇから取り外し、そのまま分析装置にセットする。
【００６４】
本実施形態では、分析用試料容器３０があらかじめ容器カセット４０に収納されているので、試料の移し替え後に、分析用試料容器３０を容器カセット４０に移す必要がない。また、容器カセット４０の識別情報を検体と試料の関連性に使うことができ、より試料の取り違いの可能性がなくなる。
【００６５】
さらに、容器カセット４０の収納数と多連容器１０Ａの多連数とが異なる場合には、試料の移し替えの際に、分析用試料容器３０と多連容器１０Ａの容器との過不足に応じて、容器カセット４０や多連容器１０Ａを交換する必要が生じる。しかし、本実施形態では、容器カセット４０の収納数と多連容器１０Ａの多連数とが同じため、試料の移し替えの際に容器カセット４０や多連容器１０Ａを交換する必要がない。これは、多連容器１０Ａから分析用試料容器３０への移し間違いの防止に効果がある。
【００６６】
＜第十二実施形態＞
本発明の第十二実施形態は、複数の容器が連なった多連容器から容器カセットに収納された分析用試料容器に試料を移し替えるための移し替え支援ラックに向けられている。本実施形態の移し替え支援ラックを図１３に示す。図中、既出の図と同一の参照符号を付した部材は同様の部材であり、その詳しい説明は省略する。
【００６７】
図１３に示すように、本実施形態の移し替え支援ラック３００Ａは、多連容器１０を設置できる開口部３０２と、複数の容器カセット４０Ａを設置するための容器カセットガイド３１２と、容器カセット４０Ａを設置できるとともに設置した容器カセット４０Ａを移動できるスライド補助手段３１４と、スライド補助手段３１４による容器カセット４０Ａの移動量を調整する移動量調節機構３１６とを有している。また移し替え支援ラック３００Ａには、多連容器１０の容器と分析用試料容器３０との間の対応を示すガイドライン３２２が設けられている。
【００６８】
多連容器１０は、ＰＣＲ装置において一般に広く使用されているものであり、８個の容器を有している。多連容器１０は、前述の多連容器１０Ａ，１０Ｂ，１０Ｃが着色されていない構造体に相当する。また容器カセット４０Ａは、分析装置において一般に広く使用されているものであり、１０個の分析用試料容器３０を直線的に並べて収納できる。多連容器１０と容器カセット４０Ａは、それらの長手方向が互いに平行になるように移し替え支援ラック３００Ａに設置される。容器カセット４０Ａは、スライド補助手段３１４によって、その長手方向が多連容器１０の長手方向に平行に移動される。
【００６９】
スライド補助手段３１４は、これに限らないが、例えばベルトコンベアで構成されてよい。スライド補助手段３１４による容器カセット４０Ａの移動量は移動量調節機構３１６によって任意に設定できる。スライド補助手段３１４は、容器カセット４０Ａを位置決めするための爪３１８を有している。スライド補助手段３１４は容器カセット４０Ａを一方向のみ（図１３では右から左）へスライドできるように規制されており、スライドさせていくと容器カセット４０Ａが所定の位置で止まる機構になっている。さらに、この機構にはスライド補助手段３１４を自由に動かせるようにする規制解除機構が設けられている。スライド補助手段３１４の移動量は、ギアによって制御しても、電気回路と駆動機構によって制御してもよい。
【００７０】
また移し替え支援ラック３００Ａには、多連容器１０が交換されたことを検知する検知手段が設けられている。多連容器１０の交換を検知したときに、容器カセット４０Ａをスライド補助手段３１４によって移動させてよい。検知手段には、機械的な突起物や、光をさえぎることによるセンサーを用いることができる。
【００７１】
この移し替え支援ラック３００Ａは以下のように使用する。容器カセット４０Ａをスライド補助手段３１４の爪３１８に合わせて設置する。容器カセット４０Ａをスライドさせて所定の位置で止める。移し替え支援ラック３００Ａに多連容器１０をセットし、多連容器１０からピペットを用いて、ガイドライン３２２を補助として活用しながら、所定の分析用試料容器３０へと反応物や試料を分注する。
【００７２】
多連容器１０は８個の容器を有し、容器カセット４０Ａには１０個の分析用試料容器３０が収納されている。多連容器１０の１つの容器から１つの分析用試料容器３０に分注すると、２個の分析用試料容器３０が分注されずに余る。このとき、もう一つの容器カセット４０Ａを分注し終わった容器カセット４０Ａに隣接させて設置する。そして、多連容器１０を交換して、容器カセット４０Ａをスライドさせる。多連容器１０の多連数（８個）に等しい分析用試料容器３０のピッチ数（Ｐ４０）だけ容器カセット４０Ａを移動させる。交換された次の多連容器１０の反応物や試料を分注されずに余っていた２個の分析用試料容器３０と隣に設置した容器カセット４０Ａの分析用試料容器３０へと分注する。
【００７３】
本実施形態では、多連容器１０の多連数に等しい分析用試料容器３０のピッチ数だけ容器カセット４０Ａを移動させることにより、多連容器１０を交換した際にも移し替え容器間の対応が取れ、移し間違い防止に効果がある。
【００７４】
また、多連容器１０のすべての容器を使用しない場合には、移動量調節機構３１６によって、多連容器１０の使用する容器数に合わせて、スライド補助手段３１４による容器カセット４０Ａの移動量を変更する。例えば、各多連容器１０を連続する４容器ずつ使用する場合には、容器カセット４０Ａの移動量を分析用試料容器３０の４ピッチ分に変更する。このように、多連容器１０の使用する容器数に合わせて容器カセット４０Ａの移動量を調整することにより、使用しない分析用試料容器３０をなくせる。
【００７５】
＜第十三実施形態＞
本発明の第十三実施形態は別の移し替え支援ラックに向けられている。本実施形態の移し替え支援ラックを図１４に示す。図中、既出の図と同一の参照符号を付した部材は同様の部材であり、その詳しい説明は省略する。
【００７６】
図１４に示すように、本実施形態の移し替え支援ラック３００Ｂは、多連容器１０を設置できる多連容器設置部３３２と、多連容器設置部３３２を移動できるスライド補助手段３３４と、スライド補助手段３３４による多連容器設置部３３２の移動量を調整する移動量調節機構３３６と、移し替え対象の多連容器１０の容器と分析用試料容器３０との間の対応を示す目印となるガイド板３４２とを有している。
【００７７】
ガイド板３４２は、移し替え対象の多連容器１０の容器と分析用試料容器３０が見える開口３４４を有している。ガイド板３４２は、容器カセット４０Ａや多連容器１０を設置する際に邪魔にならない位置に動かせるようになっている。
【００７８】
スライド補助手段３３４は、スライド補助手段３１４と同様に構成される。スライド補助手段３３４は、これに限らないが、例えばベルトコンベアで構成されてよい。スライド補助手段３３４は多連容器１０を、図１４では、右端から左方向の一方向のみスライドできるように規制されており、スライドさせていくと多連容器１０の左端の容器がガイド板３４２の位置で止まる機構になっている。さらに、多連容器１０の左端からではなく途中から分注するときのためや、左端まで移動した多連容器設置部３３２を右側に移動させるために、この機構にはスライド補助手段３３４を自由に動かせるようにする規制解除機構が設けられている。
【００７９】
多連容器１０と容器カセット４０Ａは、それらの長手方向が互いに平行になるように移し替え支援ラック３００Ｂに設置される。多連容器１０と容器カセット４０Ａは、スライド補助手段３１４とスライド補助手段３３４によって、それらの長手方向が互いに平行に移動される。
【００８０】
容器カセット４０Ａのスライド補助手段３１４と多連容器設置部３３２のスライド補助手段３３４は連動しており、一方を動かすと他方も連動して動く。スライド補助手段３３４による多連容器設置部３３２の移動量に対するスライド補助手段３１４による容器カセット４０Ａの移動量は移動量調節機構３３６と移動量調節機構３１６によって任意に設定できる。スライド補助手段３１４とスライド補助手段３３４は、手動によって駆動しても、図示しないスイッチを使用して電動によって駆動してもよい。スライド補助手段３３４の移動量は、ギアによって制御しても、電気回路と駆動機構によって制御してもよい。
【００８１】
この移し替え支援ラック３００Ｂは以下のように使用する。ガイド板３４２を、容器カセット４０Ａと多連容器１０の設置の邪魔にならない位置に動かす。容器カセット４０Ａをスライド補助手段３１４の爪３１８に合わせて設置する。容器カセット４０Ａをスライドさせて所定の位置で止める。多連容器１０を多連容器設置部３３２に設置する。ガイド板３４２を元に戻して、多連容器１０からピペットを用いて、ガイド板３４２の開口３４４を目印として所定の分析用試料容器３０へと反応物や試料を分注する。次の容器同士の分注を行う場合には、容器カセット４０Ａか多連容器設置部３３２を移動させる。スライド補助手段３３４が多連容器設置部３３２を多連容器１０の１ピッチ（Ｐ１０）分だけ移動させる間に、スライド補助手段３１４が容器カセット４０Ａを分析用試料容器３０の１ピッチ（Ｐ３０）分だけ移動させるように調整されている。このため、ガイド板３４２の開口３４４に、次の移し替え対象である多連容器１０の容器と分析用試料容器３０とが配置される。
【００８２】
多連容器１０は８個の容器を有し、容器カセット４０Ａには１０個の分析用試料容器３０が収納されている。多連容器１０の１つの容器から１つの分析用試料容器３０に分注すると、２個の分析用試料容器３０が分注されずに余る。このとき、もう一つの容器カセット４０Ａを分注し終わった容器カセット４０Ａに隣接させて設置する。多連容器設置部３３２は図１４の左側に移動している。一旦、ガイド板３４２を邪魔にならない位置に動かして、分注し終わった多連容器１０を多連容器設置部３３２から取り外す。そして、図示しない規制解除機構を作動させて、多連容器設置部３３２を図１４の右側に移動させる。このとき、容器カセット４０Ａのスライド補助手段３１４との連動も一旦解除される。多連容器設置部３３２を移動させても、容器カセット４０Ａのスライド補助手段３１４は移動しない。そして、次の多連容器１０をセットして規制解除機構の作動を止め、ガイド板３４２を元に戻す。この後、次の多連容器１０の反応物や試料を分注されずに余っていた２個の分析用試料容器３０と隣に設置した容器カセット４０Ａの分析用試料容器３０へと、順次分注する。
【００８３】
本実施形態では、多連容器設置部３３２と容器カセット４０Ａをそれぞれ多連容器１０と分析用試料容器３０の１ピッチ分だけ移動させることにより、移し替えの対象である多連容器１０の容器と分析用試料容器３０とがガイド板３４２の開口３４４内に配置されるため、移し間違い防止に効果がある。
【００８４】
また、多連容器１０や分析用試料容器３０を一定間隔ごとに使用する場合には、移動量調節機構３３６と移動量調節機構３１６によって、スライド補助手段３３４による多連容器１０の移動量に対するスライド補助手段３１４による容器カセット４０Ａの移動量を変更する。例えば、多連容器１０の容器を１つおきに使用する場合には、多連容器１０の２ピッチ分の移動に対して容器カセット４０Ａが分析用試料容器３０の１ピッチ分だけ移動するように変更する。これにより、多連容器１０の容器を１つおきに使用しながら、使用しない分析用試料容器３０をなくせる。その逆もまた同様である。
【００８５】
＜第十四実施形態＞
本発明の第十四実施形態は別の検体検査キットに向けられている。本実施形態の検体検査キットを図１５に示す。図中、既出の図と同一の参照符号を付した部材は同様の部材であり、その詳しい説明は省略する。
【００８６】
図１５に示すように、本実施形態の検体検査キット２００Ｈは、多連容器１０Ｃと、ラック４００Ａとを含む。検体検査キット２００Ｈは、多連容器１０Ｃから容器カセット４０Ａに収納された複数の分析用試料容器３０に試料を移し替えるための移し替え支援ラック３００Ｃに設置可能である。
【００８７】
ラック４００Ａは、多連容器１０Ｃを設置できる開口部４０２と、複数の検体容器２０を設置できる開口部４０４とを有している。開口部４０４の個数は多連容器１０Ｃの容器の個数と同じである。検体容器２０は、多連容器１０Ｃの長手方向に対して平行に直線的に並べて設置される。ラック４００Ａにはラック自体の識別情報４１２が付与されている。検体容器２０には識別情報２２を付与可能であり、ラック４００Ａは検体容器２０の識別情報２２を読み取るための開口部４１４を有している。ラック４００Ａは多連容器１０Ｃと関連付けて着色されている。具体的には、ラック４００Ａは複数の色に着色されており、ラック４００Ａの着色パターン４２６は多連容器１０Ｃの着色パターンと同じである。
【００８８】
ラック４００Ａは、第三実施形態と同様に、多連容器１０Ｃと同じ複数の色に着色されているため、多連容器１０Ｃをラック４００Ａに戻すときに、戻すラック４００Ａを間違えにくい。また、多連容器１０Ｃの着色パターンが回転非対称であるため、多連容器１０Ｃの向きを間違えて戻すことが防止される。
【００８９】
移し替え支援ラック３００Ｃは、ラック４００Ａを設置できるとともに設置したラック４００Ａを移動できるスライド補助手段３５４と、スライド補助手段３５４によるラック４００Ａの移動量を調整する移動量調節機構３５６とを有している。スライド補助手段３５４は、ラック４００Ａを位置決めするための爪３５８を有している。
【００９０】
ラック４００Ａは、それに設置された多連容器１０の長手方向が容器カセット４０Ａの長手方向に平行になるように移し替え支援ラック３００Ｃに設置される。容器カセット４０Ａとラック４００Ａは、スライド補助手段３１４とスライド補助手段３５４により、容器カセット４０Ａと多連容器１０の長手方向の平行を保って移動される。
【００９１】
スライド補助手段３５４は、スライド補助手段３１４やスライド補助手段３３４と同様に構成される。容器カセット４０Ａのスライド補助手段３１４とラック４００Ａのスライド補助手段３５４は連動している。スライド補助手段３５４によるラック４００Ａの移動量に対するスライド補助手段３１４による容器カセット４０Ａの移動量は移動量調節機構３５６と移動量調節機構３１６によって任意に設定できる。
【００９２】
この検体検査キット２００Ｈと移し替え支援ラック３００Ｃの組み合わせにおいて、多連容器１０Ｃから分析用試料容器３０への試料の移し替えは第十三実施形態と同様にして行う。
【００９３】
本実施形態では、ラック４００Ａは、第三実施形態で説明した多連容器１０Ｃを設置する構成であるが、第一実施形態で説明した多連容器１０Ａや第二実施形態で説明した多連容器１０Ｂを設置する構成であってもよい。この場合、ラック４００Ａは、設置する多連容器１０Ａまたは多連容器１０Ｂに合わせて、それぞれ、全体または一部が多連容器１０Ａまたは多連容器１０Ｂと同系の色に着色される。
【００９４】
また、第四実施形態と同様に、着色の色または／および着色パターンが異なる検体検査キット２００Ｈを複数含む検体検査キット群を構成してもよい。この検体検査キット群においても、第四実施形態と同様に、検査者が同じキットを選ぶことを避けて、必要な数の検体検査キットを容易に取り出せる。
【００９５】
＜第十五実施形態＞
本発明の第十五実施形態はまた別の検体検査キットに向けられている。本実施形態の検体検査キットを図１６に示す。図中、既出の図と同一の参照符号を付した部材は同様の部材であり、その詳しい説明は省略する。
【００９６】
図１６に示すように、本実施形態の検体検査キット２００Ｉは、多連容器１０Ｄと、多連容器１０Ｄと検体容器２０を設置できるラック４００Ｂとを含む。検体検査キット２００Ｉは、多連容器１０Ｄから容器カセット４０Ａに収納された複数の分析用試料容器３０に試料を移し替えるための移し替え支援ラック３００Ｄに設置可能である。
【００９７】
本実施形態では、ラック４００Ｂは、これと組み合わされる多連容器１０Ｄが開口部４０２に設置されたときに、多連容器１０Ｄの凸部１８を収容する開口部４２８を有している。ラック４００Ｂの開口部４２８はこれと組み合わされる多連容器１０Ｄの凸部１８の形成パターンに対応した形状に形成されている。
【００９８】
ラック４００Ｂには、第五実施形態と同様に、正しい組み合わせの多連容器１０Ｄだけが設置可能である。このため、多連容器１０Ｄをラック４００Ｂに戻すときに、戻すラック４００Ｂを間違えることが防止される。また、凸部１８の形成パターンが回転非対称であるため、または回転対称に位置する凸部１８は互いに異なる形状を有するため、多連容器１０Ｄの向きを間違えて戻すことが防止される。
【００９９】
移し替え支援ラック３００Ｄでは、スライド補助手段３５４はラック４００Ｂを設置できるとともに設置したラック４００Ｂを移動でき、スライド補助手段３５４によるラック４００Ｂの移動量は移動量調節機構３５６により調整できる。スライド補助手段３５４によるラック４００Ｂの移動量に対するスライド補助手段３１４による容器カセット４０Ａの移動量は移動量調節機構３５６と移動量調節機構３１６によって任意に設定できる。
【０１００】
ラック４００Ｂは、それに設置された多連容器１０の長手方向が容器カセット４０Ａの長手方向に平行になるように移し替え支援ラック３００Ｄに設置される。容器カセット４０Ａとラック４００Ｂは、容器カセット４０Ａと多連容器１０の長手方向の平行を保って移動される。
【０１０１】
この検体検査キット２００Ｉと移し替え支援ラック３００Ｄの組み合わせにおいて、多連容器１０Ｄから分析用試料容器３０への試料の移し替えは第十三実施形態と同様にして行う。
【０１０２】
また、第六実施形態と同様に、多連容器１０Ｄの凸部１８のパターンが異なる検体検査キット２００Ｉを複数含む検体検査キット群を構成してもよい。この検体検査キット群においても、第六実施形態と同様に、検査者が同じキットを選ぶことを避けて、必要な数の検体検査キットを容易に取り出せる。
【０１０３】
＜第十六実施形態＞
本発明の第十六実施形態はさらに別の検体検査キットに向けられている。本実施形態の検体検査キットを図１７に示す。図中、既出の図と同一の参照符号を付した部材は同様の部材であり、その詳しい説明は省略する。
【０１０４】
図１７に示すように、本実施形態の検体検査キット２００Ｊは、多連容器１０Ｃと、ラック４００Ｃとを含む。検体検査キット２００Ｊは、多連容器１０Ｃから容器カセット４０Ａに収納された複数の分析用試料容器に試料を移し替えるための移し替え支援ラック３００Ｅに設置可能である。
【０１０５】
ラック４００Ｃは、多連容器１０Ｃを設置できる多連容器設置部４００Ｃａと、複数の検体容器２０を設置できる検体容器設置部４００Ｃｂとで構成されている。多連容器設置部４００Ｃａと検体容器設置部４００Ｃｂは分離可能である。多連容器設置部４００Ｃａは、多連容器１０Ｃを設置できる開口部４０２を有し、検体容器設置部４００Ｃｂは、複数の検体容器２０を設置できる開口部４０４を有している。多連容器設置部４００Ｃａにはラック４００Ｃの識別情報４１２が付与されている。検体容器設置部４００Ｃｂは検体容器２０の識別情報２２を読み取るための開口部４１４を有している。ラック４００Ｃは多連容器１０Ｃと関連付けて着色されている。具体的には、ラック４００Ｃは複数の色に着色されており、ラック４００Ｃの着色パターン４２６は多連容器１０Ｃの着色パターンと同じである。
【０１０６】
ラック４００Ｃは、第三実施形態と同様に、多連容器１０Ｃと同じ複数の色に着色されているため、多連容器１０Ｃをラック４００Ｃに戻すときに、戻すラック４００Ｃを間違えにくい。また、多連容器１０Ｃの着色パターンが回転非対称であるため、多連容器１０Ｃの向きを間違えて戻すことが防止される。
【０１０７】
移し替え支援ラック３００Ｅは、多連容器設置部４００Ｃａを設置できるとともに設置した多連容器設置部４００Ｃａを移動できるスライド補助手段３６４と、スライド補助手段３６４による多連容器設置部４００Ｃａの移動量を調整する移動量調節機構３６６とを有している。スライド補助手段３６４は、多連容器設置部４００Ｃａを位置決めするための爪３５８を有している。
【０１０８】
多連容器設置部４００Ｃａは、それに設置された多連容器１０の長手方向が容器カセット４０Ａの長手方向に平行になるように移し替え支援ラック３００Ｅに設置される。容器カセット４０Ａと多連容器設置部４００Ｃａは、容器カセット４０Ａと多連容器１０の長手方向の平行を保って移動される。
【０１０９】
スライド補助手段３６４は、スライド補助手段３１４やスライド補助手段３３４やスライド補助手段３５４と同様に構成される。容器カセット４０Ａのスライド補助手段３１４と多連容器設置部４００Ｃａのスライド補助手段３６４は連動している。スライド補助手段３６４による多連容器設置部４００Ｃａの移動量に対するスライド補助手段３１４による容器カセット４０Ａの移動量は移動量調節機構３６６と移動量調節機構３１６によって任意に設定できる。
【０１１０】
この検体検査キット２００Ｊと移し替え支援ラック３００Ｅの組み合わせにおいて、多連容器１０Ｃから分析用試料容器３０への試料の移し替えは第十三実施形態と同様にして行う。
【０１１１】
本実施形態では、検体容器２０と多連容器１０Ｃはラック４００Ｃによって関連付けられており、多連容器設置部４００Ｃａだけを移し替え支援ラック３００Ｅに設置し、多連容器設置部４００Ｃａに付与されたラック４００Ｃの識別情報４１２を用いることにより、分析用試料容器３０の識別情報と検体容器２０の識別情報２２を関連付けることができる。移し替え支援ラック３００Ｅに検体容器設置部４００Ｃｂを設置しないので、移し替え支援ラック３００Ｅを小型化でき、実験スペースが広がるとともに、コストも下げることができる。
【０１１２】
本実施形態では、ラック４００Ｃは、第三実施形態で説明した多連容器１０Ｃを設置する構成であるが、第一実施形態で説明した多連容器１０Ａや第二実施形態で説明した多連容器１０Ｂを設置する構成であってもよい。この場合、ラック４００Ｃは、設置する多連容器１０Ａまたは多連容器１０Ｂに合わせて、それぞれ、全体または一部が多連容器１０Ａまたは多連容器１０Ｂと同系の色に着色される。
【０１１３】
また、第四実施形態と同様に、着色の色または／および着色パターンが異なる検体検査キット２００Ｊを複数含む検体検査キット群を構成してもよい。この検体検査キット群においても、第四実施形態と同様に、検査者が同じキットを選ぶことを避けて、必要な数の検体検査キットを容易に取り出せる。
【０１１４】
これまで、図面を参照しながら本発明の実施形態を述べたが、本発明は、これらの実施形態に限定されるものではなく、その要旨を逸脱しない範囲において様々な変形や変更が施されてもよい。
【０１１５】
本発明は下記の各項に記す発明を含む。
【０１１６】
１．  複数の容器が連なった多連容器と、多連容器と識別情報を付与可能な検体容器と識別情報を付与可能な分析用試料容器とを設置できるラックとを含み、多連容器とラックとが関連付けて着色されていることを特徴とする検体検査キット。
【０１１７】
２．  多連容器とラックとが同系の色に着色されていることを特徴とする第１項に記載の検体検査キット。
【０１１８】
３．  多連容器とラックとが部分的に同系の色に着色されていることを特徴とする第１項に記載の検体検査キット。
【０１１９】
４．  多連容器とラックとが複数の色に着色されていることを特徴とする第１項に記載の検体検査キット。
【０１２０】
５．  多連容器とラックとが同じ着色パターンに着色されていることを特徴とする第３項または第４項に記載の検体検査キット。
【０１２１】
６．  多連容器の着色パターンが多連容器の長手方向中央に対して回転非対称であることを特徴とする第５項に記載の検体検査キット。
【０１２２】
７．  着色の色または／および着色パターンが異なる第１項〜第６項のいずれかひとつに記載の検体検査キットを複数含むことを特徴とする検体検査キット群。
【０１２３】
８．  複数の容器が連なった多連容器と、多連容器と識別情報を付与可能な検体容器と識別情報を付与可能な分析用試料容器とを設置できるラックとを含み、多連容器は少なくとも一つの凸部を有し、ラックは多連容器が設置されたときに多連容器の凸部を収容する開口部を有していることを特徴とする検体検査キット。
【０１２４】
９．  多連容器の凸部が多連容器の長手方向中央に対して回転非対称に配置されていることを特徴とする第８項に記載の検体検査キット。
【０１２５】
１０．  多連容器の凸部が回転対称に配置されているが、回転対称に位置する凸部は互いに異なる形状を有していることを特徴とする第８項に記載の検体検査キット。
【０１２６】
１１．  多連容器の凸部のパターンが異なる第８項〜第１０項のいずれかひとつに記載の検体検査キットを複数含むことを特徴とする検体検査キット群。
【０１２７】
１２．  ラックにはラック自体の識別情報が付与されていることを特徴とする第１項〜第６項と第８項〜第１０項のいずれかひとつに記載の検体検査キット。
【０１２８】
１３．  検体容器の識別情報とラックの識別情報が関連付けられ、ラックの識別情報を用いて分析用試料容器の識別情報に検体容器の識別情報が一括して関連付けられることを特徴とする第１２項に記載の検体検査キット。
【０１２９】
１４．  ラックが、検体容器の識別情報を読み取るための開口部と分析用試料容器の識別情報を読み取るための開口部とを有していることを特徴とする第１項〜第６項と第８項〜第１０項と第１２項〜第１３項のいずれかひとつに記載の検体検査キット。
【０１３０】
１５．  分析用試料容器がラックとともに提供されることを特徴とする第１項〜第６項と第８項〜第１０項と第１２項〜第１４項のいずれかひとつに記載の検体検査キット。
【０１３１】
１６．  分析用試料容器の識別情報がラックの識別情報から検体数に応じて一括して付与されることを特徴とする第１５項に記載の検体検査キット。
【０１３２】
１７．  分析用試料容器の識別情報が分析用試料容器の設置位置に対応してラックに付与されていることを特徴とする第１５項に記載の検体検査キット。
【０１３３】
１８．  識別情報がバーコードまたはＩＤタグであることを特徴とする第１項〜第６項と第８項〜第１０項と第１２項〜第１７項のいずれかひとつに記載の検体検査キット。
【０１３４】
１９．  ラックに、検体容器と多連容器の容器との間の対応を示すガイドラインと、多連容器の容器と分析用試料容器との間の対応を示すガイドラインとが設けられていることを特徴とする第１項〜第６項と第８項〜第１０項と第１２項〜第１８項のいずれかひとつに記載の検体検査キット。
【０１３５】
２０．  ラックが、複数の分析用試料容器を収納できる容器カセットを設置できることを特徴とする第１項〜第６項と第８項〜第１０項と第１２項〜第１９項のいずれかひとつに記載の検体検査キット。
【０１３６】
２１．  容器カセットが分析用試料容器を収納できる個数が多連容器の多連数と同じであることを特徴とする第２０項に記載の検査キット。
【０１３７】
２２．  複数の容器が連なった多連容器から容器カセットに収納された分析用試料容器に試料を移し替えるための移し替え支援ラックであって、多連容器を設置でき、容器カセットを設置できるとともに設置した容器カセットを移動できることを特徴とする移し替え支援ラック。
【０１３８】
２３．  多連容器の容器と分析用試料容器との間の対応を示すガイドラインが設けられていることを特徴とする第２２項に記載の移し替え支援ラック。
【０１３９】
２４．  多連容器の多連数に等しい分析用試料容器のピッチ数だけ容器カセットを移動させることを特徴とする第２２項または第２３項に記載の移し替え支援ラック。
【０１４０】
２５．  容器カセットの移動量を任意に設定できることを特徴とする第２２項または第２３項に記載の移し替え支援ラック。
【０１４１】
２６．  複数の容器が連なった多連容器から容器カセットに収納された分析用試料容器に試料を移し替えるための移し替え支援ラックであって、多連容器を設置できる多連容器設置部と、多連容器設置部を移動できる多連容器移動手段と、容器カセットを設置できるとともに設置した容器カセットを移動できる容器カセット移動手段とを有し、多連容器移動手段と容器カセット移動手段とが連動して動くことを特徴とする移し替え支援ラック。
【０１４２】
２７．  移し替え対象の多連容器の容器と分析用試料容器との間の対応を示す目印をさらに有していることを特徴とする第２６項に記載の移し替え支援ラック。
【０１４３】
２８．  多連容器移動手段が多連容器設置部を多連容器の１ピッチ分移動させる間に、容器カセット移動手段が容器カセットを分析用試料容器の１ピッチ分移動させることを特徴とする第２６項または第２７項に記載の移し替え支援ラック。
【０１４４】
２９．  多連容器設置部の移動量に対する容器カセットの移動量が任意に設定できることを特徴とする第２６項または第２７項に記載の移し替え支援ラック。
【０１４５】
３０．  複数の容器が連なった多連容器と、多連容器と識別情報を付与可能な検体容器とを設置できるラックとを含み、多連容器とラックとが関連付けて着色されていることを特徴とする検体検査キットであり、さらに、多連容器から容器カセットに収納された分析用試料容器に試料を移し替えるための移し替え支援ラックであって、ラックを設置できるとともに設置したラックを移動できるラック移動手段と、容器カセットを設置できるとともに設置した容器カセットを移動できる容器カセット移動手段とを有し、ラック移動手段と容器カセット移動手段とが連動して動く移し替え支援ラックに設置可能であることを特徴とする検体検査キット。
【０１４６】
３１．  多連容器とラックとが同系の色に着色されていることを特徴とする第３０項に記載の検体検査キット。
【０１４７】
３２．  多連容器とラックとが部分的に同系の色に着色されていることを特徴とする第３０項に記載の検体検査キット。
【０１４８】
３３．  多連容器とラックとが複数の色に着色されていることを特徴とする第３０項に記載の検体検査キット。
【０１４９】
３４．  多連容器とラックとが同じ着色パターンに着色されていることを特徴とする第３２項または第３３項に記載の検体検査キット。
【０１５０】
３５．  多連容器の着色パターンが多連容器の長手方向中央に対して回転非対称であることを特徴とする第３４項に記載の検体検査キット。
【０１５１】
３６．  移し替え対象の多連容器の容器と分析用試料容器との間の対応を示す目印をさらに有していることを特徴とする第３０項〜第３５項のいずれかひとつに記載の検体検査キット。
【０１５２】
３７．  ラック移動手段がラック設置部を多連容器の１ピッチ分移動させる間に、容器カセット移動手段が容器カセットを分析用試料容器の１ピッチ分移動させることを特徴とする第３０項〜第３６項のいずれかひとつに記載の検体検査キット。
【０１５３】
３８．  ラック設置部の移動量に対する容器カセットの移動量が任意に設定できることを特徴とする第３０項〜第３６項のいずれかひとつに記載の検体検査キット。
【０１５４】
３９．  着色の色または／および着色パターンが異なる第３０項〜第３８項のいずれかひとつに記載の検体検査キットを複数含むことを特徴とする検体検査キット群。
【０１５５】
４０．  複数の容器が連なった多連容器と、多連容器と識別情報を付与可能な検体容器とを設置できるラックとを含み、多連容器は少なくとも一つの凸部を有し、ラックは多連容器が設置されたときに多連容器の凸部を収容する開口を有することを特徴とする検体検査キットであり、さらに、多連容器から容器カセットに収納された分析用試料容器に試料を移し替えるための移し替え支援ラックであって、ラックを設置できるとともに設置したラックを移動できるラック移動手段と、容器カセットを設置できるとともに設置した容器カセットを移動できる容器カセット移動手段とを有し、ラック移動手段と容器カセット移動手段とが連動して動く移し替え支援ラックに設置可能であることを特徴とする検体検査キット。
【０１５６】
４１．  多連容器の凸部が多連容器の長手方向中央に対して回転非対称に配置されていることを特徴とする第４０項に記載の検体検査キット。
【０１５７】
４２．  多連容器の凸部が回転対称に配置されているが、回転対称に位置する凸部は互いに異なる形状を有していることを特徴とする第４０項に記載の検体検査キット。
【０１５８】
４３．  移し替え対象の多連容器の容器と分析用試料容器との間の対応を示す目印をさらに有していることを特徴とする第４０項〜第４２項のいずれかひとつに記載の検体検査キット。
【０１５９】
４４．  ラック移動手段がラック設置部を多連容器の１ピッチ分移動させる間に、容器カセット移動手段が容器カセットを分析用試料容器の１ピッチ分移動させることを特徴とする第４０項〜第４３項のいずれかひとつに記載の検体検査キット。
【０１６０】
４５．  ラック設置部の移動量に対する容器カセットの移動量が任意に設定できることを特徴とする第４０項〜第４３項のいずれかひとつに記載の検体検査キット。
【０１６１】
４６．  凸部のパターンが異なる第４０項〜第４５項のいずれかひとつに記載の検体検査キットを複数含むことを特徴とする検体検査キット群。
【０１６２】
４７．  複数の容器が連なった多連容器と、多連容器を設置できる多連容器設置部と識別情報を付与可能な検体容器を設置できる検体容器設置部とで構成されるラックとを含み、多連容器設置部と検体容器設置部とが分離可能であり、多連容器設置部にラックの識別情報が付与されていることを特徴とする検体検査キットであり、さらに、多連容器から容器カセットに収納された分析用試料容器に試料を移し替えるための移し替え支援ラックであって、多連容器設置部を設置できるとともに設置した多連容器設置部を移動できる多連容器移動手段と、容器カセットを設置できるとともに設置した容器カセットを移動できる容器カセット移動手段とを有し、多連容器移動手段と容器カセット移動手段とが連動して動く移し替え支援ラックに設置可能であることを特徴とする検体検査キット。
【０１６３】
４８．  移し替え対象の多連容器の容器と分析用試料容器との間の対応を示す目印をさらに有していることを特徴とする第４７項に記載の検体検査キット。
【０１６４】
４９．  多連容器移動手段が多連容器設置部を多連容器の１ピッチ分移動させる間に、容器カセット移動手段が容器カセットを分析用試料容器の１ピッチ分移動させることを特徴とする第４７項または第４８項に記載の検体検査キット。
【０１６５】
５０．  多連容器設置部の移動量に対する容器カセットの移動量が任意に設定できることを特徴とする第４７項または第４８項に記載の検体検査キット。
【図面の簡単な説明】
【０１６６】
【図１】本発明の第一実施形態による検体検査キットを示している。
【図２】本発明の第二実施形態による検体検査キットを示している。
【図３】本発明の第三実施形態による検体検査キットを示している。
【図４】本発明の第四実施形態による検体検査キット群を示している。
【図５】本発明の第五実施形態による検体検査キット群を示している。
【図６】本発明の第六実施形態による検体検査キット群を示している。
【図７】本発明の第七実施形態による識別情報管理システムを示している。
【図８】本発明の第七実施形態による識別情報管理システムを示している。
【図９】本発明の第八実施形態による識別情報管理システムを示している。
【図１０】本発明の第九実施形態による検体検査キットを示している。
【図１１】本発明の第十実施形態による検体検査キットを示している。
【図１２】本発明の第十一実施形態による検体検査キットを示している。
【図１３】本発明の第十二実施形態による支援ラックを示している。
【図１４】本発明の第十三実施形態による支援ラックを示している。
【図１５】本発明の第十四実施形態による支援ラックを示している。
【図１６】本発明の第十五実施形態による支援ラックを示している。
【図１７】本発明の第十六実施形態による支援ラックを示している。
【符号の説明】
【０１６７】
１０，１０Ａ，１０Ｂ，１０Ｃ，１０Ｄ…多連容器、１２…色、１４…着色パターン、１６…着色パターン、１８…凸部、２０…検体容器、２２…識別情報、３０…分析用試料容器、４０，４０Ａ…容器カセット、５２…リーダー、５４…制御部、５６…記憶部、５８…分析装置、１００，１００Ａ，１００Ｂ，１００Ｃ，１００Ｄ，１００Ｅ，１００Ｆ，１００Ｇ…ラック、１０２…開口部、１０４…開口部、１０６…開口部、１１２…識別情報、１１４…開口部、１２２…色、１２４…着色パターン、１２６…着色パターン、１２８…開口部、１３２…識別情報、１４２…ガイドライン、１４４…ガイドライン、１５２…開口部、１５４…開口部、２００，２００Ａ，２００Ｂ，２００Ｃ，２００Ｄ，２００Ｅ，２００Ｆ，２００Ｇ，２００Ｈ，２００Ｉ，２００Ｊ…検体検査キット、３００Ａ，３００Ｂ，３００Ｃ，３００Ｄ，３００Ｅ…移し替え支援ラック、３０２…開口部、３１２…容器カセットガイド、３１４…スライド補助手段、３１６…移動量調節機構、３１８…爪、３２２…ガイドライン、３３２…多連容器設置部、３３４…スライド補助手段、３３６…移動量調節機構、３４２…ガイド板、３４４…開口、３５４…スライド補助手段、３５６…移動量調節機構、３５８…爪、３６４…スライド補助手段、３６６…移動量調節機構、４００Ａ，４００Ｂ，４００Ｃ…ラック、４００Ｃａ…多連容器設置部、４００Ｃｂ…検体容器設置部、４０２…開口部、４０４…開口部、４１２…識別情報、４１４…開口部、４２６…着色パターン、４２８…開口部。
【図１】
2008122205.tif 000003
【図２】
2008122205.tif 000004
【図３】
2008122205.tif 000005
【図４】
2008122205.tif 000006
【図５】
2008122205.tif 000007
【図６】
2008122205.tif 000008
【図７】
2008122205.tif 000009
【図８】
2008122205.tif 000010
【図９】
2008122205.tif 000011
【図１０】
2008122205.tif 000012
【図１１】
2008122205.tif 000013
【図１２】
2008122205.tif 000014
【図１３】
2008122205.tif 000015
【図１４】
2008122205.tif 000016
【図１５】
2008122205.tif 000017
【図１６】
2008122205.tif 000018
【図１７】
2008122205.tif 000019